(57)【要約】【課題】カップのサイズを問わず、また、カップに専用の蓋がなくとも、カップ内のお湯を保温して、茶葉を湯中で効果的に蒸らし、茶葉の成分を最適に抽出して、おいしいお茶を飲むことができるティーバッグを提供する。【解決手段】ティーバッグは、容器開口より大きい板体による蓋の裏面から紐により茶葉を封入した袋体を吊支した。【選択図】図１
2018008742.tif 000002
【特許請求の範囲】
【請求項１】
容器開口より大きい板体による蓋の裏面から紐により茶葉を封入した袋体を吊支したことを特徴とするティーバッグ。
【請求項２】
紐は、板体による蓋の裏面中心に係止する請求項１記載のティーバッグ。
【請求項３】
紐は、長さ調整可能に係止する請求項１または請求項２に記載のティーバッグ。
【請求項４】
紐は、蓋の表側にでる端部に摘み片を設けた請求項１乃至請求項３のいずれかに記載のティーバッグ。
【請求項５】
板体による蓋は、コースターを兼用する請求項１乃至請求項４のいずれかに記載のティーバッグ。
【請求項６】
板体による蓋の、周囲にフランジを形成し、茶葉を封入した使用済袋体の載置板とする
請求項１乃至請求項５のいずれか記載のティーバッグ。
【発明の詳細な説明】
【技術分野】
【０００１】
本発明は、ティーバッグに関するものである。
【背景技術】
【０００２】
従来からお茶を飲む場合は、必要な人数分のお茶の葉を、温めた急須やティーポットに入れて、茶葉に合わせた最適温度の湯を注ぎ、蓋をして最適時間蒸らして茶葉よりおいしい風味を十分に抽出した後、湯飲みやカップに注ぎ入れて、その香り、水色、味わいを楽しむ。
【０００３】
近年では、茶葉の前後の処理や茶こしが不要で、簡便で気軽においしくお茶を楽しむことができるティーバッグが親しまれており、多種多用のタイプが流通している。
【０００４】
例えば、茶葉は、緑茶、紅茶、ハーブティ、中国茶等があり、ティーバッグの茶葉を封入する袋体の形状は長方形状、三角錐形状、円盤形状等や、紐の付いている物、付いていない物がある。また、好みの茶葉を入れてティーバッグとするメッシュ素材の袋体も市販されている。
【０００５】
一般的なティーバッグは、茶葉を封入する透水性の不織布又は不織紙等からなる袋体の上部に、摘み片が付いている紐が取り付けられている。お茶を飲むときは、カップの開口部からカップ内にお湯を注ぎ、摘み片を手で持ち、袋体をカップ内に入れ、摘み片と紐の一部をカップの外側に垂らした状態で、ティーバッグ内の茶葉を蒸らし、カップ内に茶葉の成分を効果的に抽出する、という一連の手順を経ることにより、おいしいお茶を飲むことができる。
【０００６】
おいしいお茶を飲むためには、ティーバッグ内の茶葉を、湯中で最適な時間と温度で蒸らす必要があり、このための、蓋付きのカップがある。具体的には、カップに、ティーバッグと適温・適量の湯を入れた後に、専用の蓋をすることにより、急須やティーポットを使用した場合と同様にカップ内のお湯を保温しつつ、ティーバッグ内の茶葉の最適な蒸らし温度と時間を確保することができる。
【０００７】
しかしこの場合、蓋付きの専用カップを用意する必要があり、蓋付きの専用カップは蓋のない通常のカップに比べて高価であるため、経済的・管理上の負担・手間がかかる。
【０００８】
ここで、下記特許文献１には、図９に示すとおり、カップ５３の開口部５４の全域を覆うためのシート状の蓋部材５２を備え、その裏面には紅茶の茶葉５６を内包する、ナイロンメッシュにより構成される袋体５５が、熱融着によって設けられているティーバック５１が開示されている。
【０００９】
また、特許文献１では、茶飲料をカップ内に抽出する際に用いられるティーバックにおいて、スリット状の挿通孔が形成され、前記カップの開口部を覆うためのシート状の蓋部材と、前記蓋部材の前記挿通孔に挿通可能であって、透水性材料により構成され、茶飲料の茶葉を封入する袋体と、前記袋体の端部に一体的に設けられ、前記蓋部材に係止可能な係止部を有し、前記袋体を前記蓋部材の前記挿通孔に挿通させた状態で懸架するための懸架部材と、を備え、前記蓋部材は、前記懸架部材の前記係止部と前記蓋部材の係止状態を解除することによって前記袋体に対して分離可能になっているものも開示されている。
【先行技術文献】
【特許文献】
【００１０】
【特許文献１】特開２０１３−１４４５６５号公報（ティーバック）
【発明の概要】
【発明が解決しようとする課題】
【００１１】
前記特許文献１の発明は、蓋部材の存在により、蓋付きカップを用いなくても、最適な蒸らし温度を確保できる。
【００１２】
しかし、前記特許文献１の発明は、茶葉を内包する袋体は蓋部材に熱溶着されているか
蓋部材に係止可能な係止部を有し、前記袋体を前記蓋部材の前記挿通孔に挿通させた状態で懸架するため、袋体は蓋部材に近接しており、かつ、固定されている。
【００１３】
よって、カップのサイズによっては袋体内の茶葉が湯に浸らず、また、袋体がカップ内で自由自在に移動できないために、茶葉を効率的に蒸らすことができず、茶葉の成分が十分に湯中に抽出できない。
【００１４】
本発明の目的は上記問題点を解消し、蓋付きの専用カップがなくとも、所定の位置に茶葉を封入した袋体をセットできることにより、カップ内のお湯を保温して、茶葉を湯中で効果的に蒸らし、茶葉の成分を最適に抽出して、おいしいお茶を飲むことができるティーバッグを提供することにある。
【課題を解決するための手段】
【００１５】
本発明者らは、上記課題を解決する為に鋭意努力した結果、カップのサイズに配慮を要し、袋体がカップ内で自由自在に移動できないという問題点を解決し、蓋付きの専用カップがなくとも、カップ内のお湯を保温して、茶葉を湯中で効果的に蒸らし、茶葉の成分を最適に抽出して、おいしいお茶を飲むことができるティーバッグを見出し、本発明を完成した。すなわち、本発明の要旨は、次のとおりである。
【００１６】
請求項１記載の本発明は、ティーバッグは、容器開口より大きい板体による蓋の裏面から紐により茶葉を封入した袋体を吊支したことを要旨とするものである。
【００１７】
請求項１記載の本発明によれば、紐により茶葉を封入した袋体を吊支するので、茶葉の成分を効果的に抽出できる位置に袋体を置くことがでる。これにより、容器内のお湯を袋体に封入した茶葉に効果的に浸透させ、蒸らすことができ、カップ内に茶葉の成分を効果的に抽出して、おいしいお茶を飲むことができる。
【００１８】
また、お茶を飲む容器、例えば、カップの開口部からにお湯を注いだ後に、本発明のティーバッグの茶葉を封入する袋体をカップ内に入れ、開口部より大きい板体でカップの開口部の全面を覆うことができ、これにより、お湯の温度が冷めにくくなり、ティーバッグ内の茶葉を蒸らし、カップ内に茶葉の成分を効果的に抽出して、おいしいお茶を飲むことができ、従来のティーバッグのように、湯中に紐と摘み片が脱落する問題もない。
【００１９】
また、袋体の端部と板体を、紐で繋ぐことにより、板体に袋体が直接設けられている場合に比して、茶葉を封入する袋体が、カップ内を自由自在に移動することができるため、茶葉を湯中で効果的に蒸らし、茶葉の成分を最適に抽出して、おいしいお茶を飲むことができる
【００２０】
さらに、ティーバッグをティーカップ内に入れ、カップ内の袋体にお湯を注いだ後に、開口部より大きいサイズの蓋でカップの開口部の全面を覆うこともでき、これにより、袋体に封入した茶葉を蒸らし、カップ内に茶葉の成分を効果的に抽出することができるとともに、茶葉の成分を抽出したお茶の保温ができ、また、虫やごみの混入を防止することにより、おいしいお茶を安心して飲むことができる。
【００２１】
請求項２記載の本発明は、ティーバッグの紐は、板体による蓋の裏面中心に係止することを要旨とするものである。
【００２２】
請求項２記載の本発明によれば、茶葉を封入した袋体をカップ中央に吊り下げることができ、一番適正位置に袋体を置くことができる。これにより、容器内のお湯を袋体に封入した茶葉に効果的に浸透させ、蒸らすことができ、カップ内に茶葉の成分を効果的に抽出して、おいしいお茶を飲むことができる。
【００２３】
請求項３記載の本発明は、ティーバッグの紐は、長さ調整可能に係止することを要旨とするものである。
【００２４】
請求項３の本発明によれば、カップの深さやお湯の量にかかわらす、紐の長さを調整することにより、カップ中の湯に本発明のティーバッグの茶葉を封入する袋体を効果的に浸すことができ、これにより、容器内のお湯を袋体に封入した茶葉に効果的に浸透させ、茶葉を蒸らし、カップ内に茶葉の成分を効果的に抽出して、おいしいお茶を飲むことができる。
【００２５】
請求項４記載の本発明は、ティーバッグの紐は、蓋の表側にでる端部に摘み片を設けたことを要旨とするものである。
【００２６】
請求項４記載の本発明によれば、茶葉を封入する袋体の端部に、摘み片が付いているため、お茶を飲むときは、カップの開口部からカップ内にお湯を注ぎ、摘み片を手で持ち、袋体をカップ内に入れ、摘み片と紐の一部をカップの外側に垂らした状態で、袋体に封入した茶葉を蒸らし、カップ内に茶葉の成分を効果的に抽出して、おいしいお茶を飲むことができる。
【００２７】
請求項５記載の本発明は、ティーバッグの板体による蓋は、コースターを兼用することを要旨とするものである。
【００２８】
請求項５記載の本発明によれば、袋体に封入した茶葉を蒸らし、カップ内に茶葉の成分を効果的に抽出した後は、袋体と紐を外した板体を、コースターとしてカップの下に敷いて使用できるため、カップと設置するテーブルやデスク間の、熱伝導や摩擦が低減し、お茶の熱を奪われたり、カップの糸尻でテーブル表面の熱変形や傷等の心配がない。
【００２９】
請求項６記載の本発明は、ティーバッグの板体による蓋の、周囲にフランジを形成し、茶葉を封入した使用済袋体の載置板とすることを要旨とするものである。
【００３０】
請求項６記載の本発明によれば、本発明のティーバッグの板体による蓋の周囲にフランジを形成することにより、カップの縁からのずれを防ぎ、また、抽出後の熱い湯を含んだ茶葉を封入する袋体を、フランジを形成した板体の上に安心して置くことができ、コースターとしても使用するときにもずれを防ぎ、さらに、板体上に菓子などを添える場合にもフランジ内におさまりがよく置くことができる。
【発明の効果】
【００３１】
以上述べたように本発明のティーバッグは、蓋付きの専用カップがなくとも、所定の位置に茶葉を封入した袋体をセットできることにより、カップのサイズを問わず、また、蓋付きの専用カップがなくとも、カップ内のお湯を保温して、茶葉を湯中で効果的に蒸らし、茶葉の成分を最適に抽出して、おいしいお茶を飲むことができるものである。
【図面の簡単な説明】
【００３２】
【図１】本発明のティーバッグの１実施形態を示す斜視図である。
【図２】本発明のティーバッグの１実施形態を示す斜視図である。
【図３】本発明のティーバッグの１実施形態を示す斜視図である。
【図４】本発明のティーバッグの１実施形態を示す斜視図である。
【図５】本発明のティーバッグの１実施形態を示す斜視図である。
【図６】本発明のティーバッグの１実施形態を示す斜視図である。
【図７】本発明のティーバッグの１使用例を示す説明図である。
【図８】本発明のティーバッグの１使用例を示す説明図である。
【図９】従来例のティーバッグ示す説明図である。
【発明を実施するための形態】
【００３３】
以下本発明を実施するための形態について説明するが、本発明はこれに限定されたものでないことは、言うまでもない。
【００３４】
図面にしたがい、本発明のティーバッグの実施の形態を詳細に説明する。図１は、本発明のティーバッグの１実施形態を示す板体表面１２から見た斜視図であり、図２、図３は本発明のティーバッグの１実施形態を示す板体裏面１３から見た斜視図である。図中１はティーバッグを示す。
【００３５】
ティーバッグ１は、容器開口より大きい板体１１による蓋の裏面１３から紐３により茶葉２１を封入した袋体２を吊支した。
【００３６】
葉２１を封入した袋体２の形状は、長方形状、三角錐形状、円盤形状等、様々な形状でもよく、素材は、不織布、不織紙、ポリアミド合成樹脂のメッシュ等の透水性材料からなるもので、茶葉２１を封入した上で１００度近い湯を注ぐことから、耐熱性と不溶性を備えた素材が好ましい。
【００３７】
紐３の素材は樹脂や綿等の天然素材でもよく、耐熱性と不溶性を備えた素材が好ましい。
【００３８】
第１実施形態として、紐３は葉２１を封入した袋体２を所定の長さで吊支するもので、紐３の長さは、袋体２に封入する茶葉２１がカップ３１の水位線３４以下になる任意の長さに設定する。
【００３９】
また、紐３の太さは通常糸と称される細いものでもよく、板体１１と、水分を含んで重量のある茶葉２１を封入する袋体２とを、連結できるものならば限定はない。また紐３は、１本のみならず複数本としてもよい。
【００４０】
袋体２、及び、紐３は、カップ３１の内部で１００度近い湯と接するため、お茶の風味に影響を及ぼさない素材、例えば、綿、絹、ポリプロピレンやポリエチレン等の樹脂であることが好ましい。
【００４１】
本発明の第１実施形態として、紐３の長さを固定とした。
【００４２】
袋体２と紐３との連結の方法は、熱溶着でもよく、接着剤を塗布しての接着による固定でもよい。具体的には、紐３の端部と袋体２の上部を加熱することにより樹脂を溶解して固定する。また、接着剤を使用する場合は、紐３の端部と袋体２の上部の接する面に塗布して接着、固定することができる。
【００４３】
紐３と板体１１との連結の方法は、紐取付け部１４の位置に紐３を熱溶着してもよく、接着剤を塗布しての接着や、図３に示すとおり、紐取付け部１４に接着テープ等のシール部材１５を当ててもよい。
【００４４】
板体１１は、一枚で構成してもよいし、複数枚重ねた構成をとることもできる。一例をあげると、板体１１の一枚は吸水性を有する物、もう一枚は防水性・耐熱性を有する物とを接着剤や熱溶着したものとして組み合わせることもできる。この場合、紐３は取付けた板体１１の紐取付け部１４から板体１１の重なりの間に挟み込んでもよい。
【００４５】
本発明の第２実施形態として、紐３の長さを調節可能とすることができる。図４に示すとおり、紐３と板体１１とを固定せず、紐３を板体１１の紐取付け部１４の板体表面１２から板体裏面１３へと貫通し、紐３の長さを自由自在に調整可能になるように連結してもよい。
【００４６】
具体的には、板体１１の紐取付け部１４に孔を設け、袋体２の上部に紐３の端部を固定し、もう一方の端部を穴の板体裏面１３から板体表面１２へと貫通させる。紐３が穴から抜けるのを防止するため、また、摘みやすいために、紐３の端部に摘み片４を設けてもよい。
【００４７】
板体１１の形状はカップ３１の開口部３３の全域を覆うことができるものであればよく、円形、楕円形、四角形、矩形、切欠きや一部に孔があるもの、さらに、縁のあるものでも構わない。
【００４８】
図６に示すとおり、板体１１に縁を設ける場合、この縁を板体１１の裏側に設けるにフランジ１６として形成し、茶葉２１を封入した使用済袋体の載置板とする。
【００４９】
次に、図４、図５は、本発明のティーバッグの１実施形態を示す板体裏面１３から見た斜視図である。
【００５０】
袋体２と紐３との連結の方法は、熱溶着でもよく、接着剤を塗布しての接着による固定でもよい。
【００５１】
紐３と板体１１との連結の方法は、熱溶着でもよく、接着剤を塗布しての接着や、図３に示すとおり、紐取付け部１４にシール部材１５を当ててもよい。
【００５２】
板体１１が複数枚重なつている場合は、紐３を紐取付け部１４から板体１１の重なりの間に挟み込んでもよい。
【００５３】
図４に示すとおり、紐３と板体１１とを固定せず、紐３を板体１１の紐取付け部１４の板体表面１２から板体裏面１３へと貫通し、紐３の長さを自由自在に調整可能になるように連結してもよい。
【００５４】
板体１１の形状はカップ３１の開口部３３の全域を覆うことができるものであればよく、円形、楕円形、四角形、矩形、切欠きや一部に孔があるもの、さらに、縁のあるものでも構わない。
【００５５】
また、板体１１は、複数枚重なつていてもよく、その場合は、紐３を紐取付け部１４から板体１１の重なりの間に挟み込んでもよい。
【００５６】
板体１１の素材は、樹脂からなるもの、紙等に樹脂を板体裏面１３又は板体１１全面をラミネートしたもの等、防水性・耐熱性を備えるものが好ましい。樹脂は、ポリプロピレンやポリエチレンからなるもの、また、発泡した樹脂等でもよい。
【００５７】
また、板体１１の素材が吸水性に富むものである場合は、水分を含んだ茶葉２１を封入する袋体２を置くのに好ましく、この場合は、さらに、板体１１の板体裏面１３は防水性・耐熱性に富んだ樹脂等をラミネートしたものが好ましい。
【００５８】
紐取付け部１４は、板体１１の中央部であっても、任意の場所であっても構わない。
【００５９】
ティーバッグ１の、袋体２、紐３、板体１１は、それぞれ結合部を外すことができるように連結することができる。
【００６０】
ティーバッグ１の袋体２に封入する茶葉２１は、緑茶、紅茶、中国茶、ハーブティ、スパイスティ等あり、その封入重量も特に限定されるものではなく、ありとあらゆるものが該当する。
【００６１】
次に、使用法及び動作について説明する。
【００６２】
ティーバッグ１の使用法の一例として、図７に示す通り、茶葉２１を封入する袋体２の上部に、紐３が取り付けられており、紐３の他方の端部は、板体１１の紐取付け部１４に係止し、お茶を飲むときは、カップ３１内にお湯を注ぎ入れた後、板体１１を手で持ち、袋体２をカップ３１内に入れ、カップ３１の開口部３３から板体１１で開口部３３の全域を覆い、お湯の温度が冷めにくくなり、袋体２に封入した茶葉２１を蒸らし、カップ３１内に茶葉２１の成分を効果的に抽出する。
【００６３】
袋体２は、茶葉２１を封入した上で１００度近い湯と接することから、耐熱性と不溶性を備えた、不織布、不織紙、ポリアミド合成樹脂のメッシュ等の透水性材料からなる袋体２であることにより、湯が茶葉２１に十分に浸透して、茶葉２１を蒸らし、カップ３１内に茶葉２１の成分を効果的に抽出して、おいしいお茶を飲むことができる。
【００６４】
紐３は耐熱性と不溶性を備えた樹脂や綿等の天然素材であることにより、紐３を取り付けた袋体２に封入した茶葉２１と１００度近い湯とを接することができる。また、紐３は、袋体２に封入する茶葉２１がカップ３１の水位線３４以下になる長さにすることで、湯が茶葉２１に十分に浸透して、茶葉２１を蒸らし、カップ３１内に茶葉２１の成分を効果的に抽出して、おいしいお茶を飲むことができる。
【００６５】
また、紐３の太さは、板体１１と、水分を含んで重量のある茶葉２１を封入する袋体２とを、連結できるものであることにより、適時、板体１１や摘み片４を持ち、熱い湯を含んだ茶葉２１を封入する袋体２を、カップ３１内から、安全に引き上げることができる。
【００６６】
さらに、紐３を１本のみならず複数本とすることにより、安定感を保ちつつ、熱い湯を含んだ茶葉２１を封入する袋体２を、カップ３１内で自由自在に揺り動かして、湯を茶葉２１に十分に浸透して、茶葉２１を蒸らし、カップ３１内に茶葉２１の成分を効果的に抽出して、おいしいお茶を飲むことができる。さらに抽出後は、カップ３１内から安全に引き上げることができる。
【００６７】
紐３の素材が熱可塑性の樹脂である場合には、袋体２や板体１１との連結にあたり、熱溶着することが可能となるため、簡便に固定できる。
【００６８】
袋体２と紐３との連結の方法は、熱溶着や、接着剤を塗布しての接着による安定性をもたらす固定により、板体１１や摘み片４を持ち、熱い湯を含んだ茶葉２１を封入する袋体２を、カップ３１内で自由自在に揺り動かして、湯を茶葉２１に十分に浸透して、茶葉２１を蒸らし、カップ３１内に茶葉２１の成分を効果的に抽出して、おいしいお茶を飲むことができる。さらに抽出後は、カップ３１内から安全に引き上げることができる。
【００６９】
紐３と板体１１との連結の方法は、熱溶着や、接着剤を塗布しての接着や、紐取付け部１４にシール部材１５を当てることにより、安定感を保ちつつ、熱い湯を含んだ茶葉２１を封入する袋体２を、カップ３１内で自由自在に揺り動かして、湯を茶葉２１に十分に浸透して、茶葉２１を蒸らし、カップ３１内に茶葉２１の成分を効果的に抽出して、おいしいお茶を飲むことができる。さらに抽出後は、カップ３１内から安全に引き上げることができる。
【００７０】
板体１１を複数枚重ね、紐３を紐取付け部１４から板体１１の重なりの間に挟み込むことにより、さらなる安定感を保ちつつ、熱い湯を含んだ茶葉２１を封入する袋体２を、カップ３１内で自由自在に揺り動かして、湯を茶葉２１に十分に浸透して、茶葉を蒸らし、カップ３１内に茶葉２１の成分を効果的に抽出して、おいしいお茶を飲むことができる。さらに抽出後は、カップ３１内から安全に引き上げることができる。
【００７１】
紐３と板体１１とを固定せず、紐３を板体１１の紐取付け部１４の板体表面１２から板体裏面１３へと貫通し、紐３の長さを自由自在に調整可能になるように連結することにより、図８に示すとおり、カップ３１の深さやお湯の量にかかわらす、紐３の長さを調整して、カップ３１中の湯にティーバッグ１の茶葉２１を封入する袋体２を効果的に浸すことができ、これにより、ティーバッグ１内の茶葉２１を充分に蒸らし、カップ３１内に茶葉２１の成分を効果的に抽出して、おいしいお茶を飲むことができる。
【００７２】
このように、紐３の長さを自由自在に調整可能になるように連結することにより、深いカップ３１を使用して少ない湯量でも茶葉２１をむらすことができるため、濃いお茶を抽出し、ミルクをたっぷりと加えてミルクティーとして楽しむこともできる。
【００７３】
板体１１の形状は、円形、楕円形、四角形、矩形、切欠きや一部に孔があるものカップ３１の開口部３３の全域を覆うことができるものであれば、湯を茶葉２１に十分に浸透して、茶葉２１を蒸らすことができるため、カップ３１内に茶葉２１の成分を効果的に抽出して、おいしいお茶を飲むことができる。
【００７４】
さらに、板体１１にフランジ１６を形成したものである場合は、カップの縁３２からのずれを防ぎ、また、抽出後の熱い湯を含んだ茶葉２１を封入する袋体２を、フランジ１６を形成した板体１１の上に安心して置くことができる。さらに、板体１１上に小菓子などを添える場合にもフランジ１６内におさまりがよく、小皿等を用意せずと提供することができる。
【００７５】
板体１１が、ポリプロピレンやポリエチレン樹脂からなるものや、紙等に樹脂を板体裏面１３又は板体１１全面をラミネートしたもの等の、防水性・耐熱性を備えることにより、カップ３１の蓋として使用した場合に、熱い水蒸気によるよれやゆがみがない。また、板体１１が発泡した樹脂である場合には、さらに保温性が良いため、カップ３１内部の湯の温度が冷めにくくなる。
【００７６】
また、板体１１の素材が吸水性に富むものであることにより、水分を含んだ茶葉２１を封入する袋体２を置く場合に板体１１が水分吸収し、板体１１の外に漏らすことがなく安心してお茶を楽しむことができる。さらに、板体１１の板体裏面１３を防水性・耐熱性に富んだ樹脂等をラミネートすることにより、板体１１に吸収した水分を裏面に漏らすことがなく安心である。
【００７７】
板体１１の板体裏面１３の中央部に紐取付け部１４がある場合は、袋体２が水分を含んだ茶葉２１を封入した場合に安定性がある。
【００７８】
板体１１は、茶葉２１の茶成分注出後には、紐取付け部１４から紐３と袋体２を外すことができるため、板体１１を、蓋やコースターとして使用することができ、カップ３１内のお茶の温度を逃がさず飲み切るまでの保温が可能となる。さらに、板体１１は、湯を含んだ茶葉２１を封入する袋体２の受け皿とすることにより、茶葉２１から過度に成分が抽出するのを留めることができるため、好適な味のお茶を楽しむことができる。
【００７９】
板体表面１２及び／又は板体裏面１３には、茶の淹れ方や、茶葉の産地・成分・効能、ヒストリー等を記載することで、商品の正しい扱い方等の説明書きや読み物として使用者に情報を提供できる。
【００８０】
袋体２に封入する茶葉２１は、緑茶、紅茶、中国茶、ハーブティ、スパイスティ等あり、特に限定されるものではなく、ありとあらゆるものが該当する。
【００８１】
前記のとおり、おいしいお茶を飲むためには、ティーバッグ１内の茶葉２１を、湯中で最適な時間と温度で蒸らす必要があり、カップ３１に、適温・適量の湯とティーバッグ１とを入れた後に、板体１１を開口部３３の全域を覆うことにより、急須やティーポットを使用した場合と同様にカップ３１内のお湯を保温しつつ、ティーバッグ１内の茶葉２１の最適な蒸らし温度と時間を確保することができる。
【産業上の利用可能性】
【００８２】
カップのサイズを問わず、また、蓋付きの専用カップがなくとも、カップ内のお湯を保温して、茶葉を湯中で効果的に蒸らし、茶葉の成分を最適に抽出して、おいしいお茶を飲むことができるティーバッグを提供することができる。
【符号の説明】
【００８３】
１  ティーバッグ
２  袋体
３  紐
４  摘み片
１１  板体
１２  板体表面
１３  板体裏面
１４  紐取付け部
１５  シール部材
１６  フランジ
２１  茶葉
３１  カップ
３２  カップの縁
３３  開口部
３４  水位線
５１  ティーバック
５２  蓋部材
５３  カップ
５４  開口部
５５  袋体
５６  茶葉
【図１】
2018008742.tif 000003
【図２】
2018008742.tif 000004
【図３】
2018008742.tif 000005
【図４】
2018008742.tif 000006
【図５】
2018008742.tif 000007
【図６】
2018008742.tif 000008
【図７】
2018008742.tif 000009
【図８】
2018008742.tif 000010
【図９】
2018008742.tif 000011